(57)【要約】【課題】複写体距離をパッシブとアクティブの２つの測距方式で距離を測定するカメラにおいて撮影ボタン（ＳＷ２）を早押しされた場合でも撮影を可能にし、シャッターチャンスをのがさないカメラを提供する。【解決手段】パッシブ及びアクティブ方式で被写体距離を求める測距装置で、一回（一方式）の測距動作が終わる毎に、撮影ボタン（ＳＷ２）の変化を検出可能にすることで、シャッターチャンスをのがさないカメラを提供し、一回の測距動作でＡＦ精度が悪い場合には、ストロボ撮影モードや、シャッター絞り規制などにより撮影深度を利用して、早押しに対応したカメラにしている。【選択図】　　　　図１
2004012494.tif 000002
【特許請求の範囲】
【請求項１】
被写体距離を光を投光しその反射光により測定するいわゆるアクティブ方式と被写体からの入射光を使って測定するいわゆるパッシブ方式の二つ以上の測距手段を持つハイブリッド方式のカメラにおいて、撮影ボタンの押し方によって通常測距方式と異なる制御を行うことを特徴とするカメラ。
【請求項２】
請求項１のカメラにおいて、異なる制御は測距方式の切り替えの重み付けを変更することを特徴とするカメラ。
【請求項３】
請求項１のカメラにおいて、異なる制御はどちらか一方の測距方式のみとすることを特徴とするカメラ。
【請求項４】
請求項３のカメラのように、間引き測距の場合はストロボ撮影モードにすることを特徴とするカメラ。
【請求項５】
請求項３のカメラのように、間引き測距の場合は絞り規制をすることを特徴とするカメラ。
【請求項６】
請求項３のカメラのように、間引き測距の場合は警告もしくは表示を行うことを特徴とするカメラ。
【発明の詳細な説明】
【０００１】
【発明に属する技術分野】
本発明は、撮影ボタンの早押しに対応した測距装置に関するものである。
【０００２】
【従来の技術】
従来、被写体の距離を測定する装置には、アクティブ、パッシブ、ハイブリッドなどの様々な方式が提案され実用化されている。しかしどのような測距装置にも測距時問は必要で、特にハイブリッドの場合は顕著である。そこで時短策として特開平７−１６７６４６号公報のように被写体輝度を使って、暗い場合はアクティブ、ある一定輝度以上の場合はパッシブというように測距方式を決めて測距することにより、なるべく一回（どちらかの方式で）の測距動作で距離を求められるように工夫している。また、特開平７−１６７６４７号公報のように最初の測距をアクティブで行い、測距データの結果が遠距離の場合だけ再度パッシブで測距を行うようにすることで、なるべく無駄な測距動作をしないようにする方式も提案されている。
【０００３】
【発明が解決しようとする課題】
しかしながら撮影ボタン早押しのように、早く撮影したいと思っていながら測距動作が終わっていなければ撮影は受け付けられないし、また撮影ボタンが押されたことを記憶して測距動作が全て完了したあとに撮影動作に移るようにすると、ほしい構図で写真ができあがってこなかったりといった場合もある。
【０００４】
そこで本出願にかかる第一の発明の目的は、撮影ボタンが測距動作中に押された場合でもそれに対応した制御を行うことでなるべく狙った構図での撮影を可能にしている。
【０００５】
本出願にかかる第二、三の発明の目的は、最初に行った測距方式の測距データを有効に使用し再測距を極力させないようにすることで、狙った構図の撮影を可能にしている。
【０００６】
本出願にかかる第四、五、六の発明の目的は、ハイブリッドでありながらどちらかの測距方式のみの測距データで制御することで撮影性能に影響がでないよう不足分をカバーするため、被写体深度を稼ぐことで撮影性能を犠牲にしないようにした物である。
【０００７】
以上のように本出願の目的は、撮影者が早く撮影したいと思っていながら撮影チャンスを逃してしまわないため、素早く適正な測距結果が得られるような測距装置及び撮影装置を提供することを目的とする。
【０００８】
【課題を解決するための手段】
上記目的を達成するため本発明は、撮影するための意志を伝える手段である撮影ボタンの押される状態を忠実に撮影に反映するため、撮影ボタンの状態を常に検出すると共に、撮影までに時問の必要な測距時問を短くすることで撮影チャンスを逃さない撮影装置を提供するものである。
【０００９】
そこで本出願にかかる第一の発明は、測距途中でも撮影スイッチの状態を判断する手段を設けることで測距途中であっても撮影動作に移れるようすることで撮影チヤンスを逃さないようにしている。
【００１０】
本出願にかかる第二、三の発明は、最初の測距動作で得られた距離データを有効に判断する手段を設けることで重み付けを変えることで、次の測距動作を行わなくても撮影が可能な状態にすることで、撮影チャンスを逃さないようにしている。
【００１１】
本出願にかかる第四、五、六の発明は、ハイブリッドＡＦでありながら一つの測距方式で距離測定動作を終えてしまうことによる撮影に対する影響を少なくするため、ストロボ撮影による撮影深度及びシャッターの絞り口径を小絞り側に規制することにより撮影深度を稼ぎ、撮影チャンスを逃さないようにしている。
【００１２】
以上のように、撮影ボタンに忠実に撮影を可能にすることで撮影チャンスを逃さない撮影装置を提供している。
【００１３】
【発明の実施の形態】
（実施形態１）
以下、本発明を図示の実施例に基づいて詳細に説明する。
【００１４】
図１は本発明の実施例におけるカメラのハイブリッド測距装置の概略を示すブロック図である。１は被写体からの反射光を受光するオートフォーカス用受光センサのＰＳＤで、２は受光素子から光電変換し距離をもとめる受光回路、３は被写体に向けて赤外光を投光する投光素子であるｉＲＥＤで、４はこの投光素子を駆動するための駆動素子である投光回路である。２１はアクティブ測距装置で１〜４で構成されている。５は左目受光素子で、６は右目受光素子です。２０はパッシブ測距装置でこれら５〜６で構成されている。９は、フィルムを巻き上げ／巻き戻しを行うモータを制御するドライバで、１９はＤＣモータである。７は撮影レンズを駆動し合焦点に制御するドライバで、８はＤＣモータである。１０は、カメラ全体の動作を司る制御用マイコンで、給送制御，レンズ制御であるモータ制御、投光，受光を制御して距離を求めるハイブリッドオートフォーカス制御などのすべてを制御するＣＰＵである。１１は被写体の輝度を測定する為の測光装置で、１２はＳＷ１で測距や測光などを開始する為のスイッチである。１３はＳＷ２で撮影を行うスイッチである。１４は早押しされたことを警告する為のＬＥＤで、１５はカメラの撮影枚数や撮影モードなどを表示する液晶表示装置である。これらで構成された装置を実際にどのような制御をするか図２のフローチャートに基づいて、第１の実施例を具体的に説明する。
【００１５】
まず＃１０１でＳＷ１である１２の状態を検出して測距動作を行うかどうかの判断を行う。押されなければＳＷ１の待機状態になる。ＳＷ１が押されると、＃１０２で被写体の距離を測定する為にアクティブ測距を行うため２１を制御する。まず、ｉＲＥＤ３を投光回路４を使って被写体に向けて赤外光を投光する。投光された光の被写体からの反射光を受光センサーであるＰＳＤ１で受光し、受光回路２で距離を測定する。アクティブ方式で距離を求めた後ＳＷ２の状態を＃１０３で検出する。スイッチが押されていれば、本出願の特徴である早押し撮影に対応する為次に進む。しかし測距動作が途中の場合もあるので＃１１０の警告動作の後、撮影準備動作に移る。スイッチが押されていなければ＃１０４でアクティブ測距での演算結果が出力的に問題なかったかどうかを判断する。ここでは出力が低い場合被写体からの反射光が低く信頼性が低いため再測距が必要だからである。問題なければ＃１０７に進み、撮影を行うスイッチＳＷ２が押されることを待つ。出力が低い場合、次に進み再測距をする。その前に＃１０５でＳＷ２が押されていないかどうかを判断する。これは本出願の特徴であり、早押しで撮影がしたい場合に対応する為再測距を止め、＃１１０の警告後＃１０８の撮影準備に移る。ＳＷ２が押されていなければ＃１０６でパッシブ測距を、左側の受光センサ５と右側の受光センサ６で測距を行う。最終的な被写体距離を演算で求められると、撮影スイッチＳＷ２の押されるのを＃１０７で待つ。ＳＷ２が押されると＃１０８で測距結果に基づいて、撮影レンズを鏡筒モータ制御装置７でモータ８を駆動しセットする。セット後＃１０９で撮影が行われる。
【００１６】
上記のように第１の実施例では、ハイブリッド測距の切換の度に撮影スイッチ１３の状態を判断することで、早押しに対応し、撮影チャンスを逃さない撮影装置を提供している。
【００１７】
図４は、本発明の第２の実施例を示すフローチャートであり、以下にこのフローチャートに基づいて具体的に説明する。尚概略構成図は図３に示す。概略構成は図１と同じで違う点は、１６のシャッターの開口絞りを規制する為の制御装置と１８の発光管を用いて暗い所でも撮影可能にする１７のストロボ装置を追加している。また図２の動作と同じ部分についてはステップ番号の第１０位以下の番号を同一としている。
【００１８】
まず＃２０１でＳＷ１である１２の状態を検出して測距動作を行うかどうかの判断を行う。押されなければＳＷ１の待機状態になる。ＳＷ１が押されると、＃２０２で被写体の距離を測定する為にアクティブ測距を行うため２１を制御する。まず、ｉＲＥＤ３を投光回路４を使って被写体に向けて赤外光を投光する。投光された光の被写体からの反射光を受光センサーであるＰＳＤ１で受光し、受光回路２で距離を測定する。アクティブ方式で距離を求めた後ＳＷ２の状態を＃２０３で検出する。スイッチが押されていれば、本出願の特徴である早押し撮影に対応する為アクティブとパッシブの切換の重み付けを変える。押されていればアクティブの演算結果が＃２１２の３ｍ以下の場合だけ撮影動作に移るようにしている。また押されていなければアクティブの演算結果が＃２１１で２ｍ以上かどうかの判断を行う。これは本出願の特徴である早押しに対応する為、早押しの場合は３ｍまでアクティブ測距を信用し、早押しでない場合は２ｍまでとすることで少しでも早押しに対応しようとするものです。＃２１２で演算結果が３ｍ以下の場合は、＃２０８で撮影準備動作に移る。スイッチが押されていなければ、＃２１１で演算結果が２ｍ以下であれば同じく＃２０８で撮影準備動作に移る。ただし＃２１２で３ｍ以上で、＃２１１で２ｍ以上の場合は再度測距を行う為次に進み、アクティブ測距での演算結果が出力的に問題なかったかどうかを判断する。ここでは出力が低い場合被写体からの反射光が低く信頼性が低いため再測距が必要だからである。問題なければ＃２０７に進み、撮影を行うスイッチＳＷ２が押されることを待つ。出力が低い場合、次に進み再測距をする。出力が低いと＃２０６でパッシブ測距を、左側の受光センサ５と右側の受光センサ６で測距を行う。最終的の被写体距離を演算で求められると、撮影スイッチＳＷ２の押されるのを＃２０７で待つ。ＳＷ２が押されると＃２０８で測距結果に基づいて、撮影レンズを鏡筒モータ制御装置７でモータ８を駆動しセットする。セット後＃２０９で撮影が行われる。
【００１９】
上記のように第２の実施例では、アクティブ測距からハイブリッド測距の切換の重み付けを撮影スイッチ１３の状態で切り替えることで、出来るだけ早押しに対応し、撮影チャンスを逃さない撮影装置を提供するものである。
【００２０】
図５は、本発明の第３の実施例を示すフローチャートであり、以下にこのフローチャートに基づいて具体的に説明する。概略構成は図３とほぼ同じである。また図２の動作と同じ部分についてはステツプ番号の第１０位以下の番号を同一としている。
【００２１】
まず＃３０１でＳＷ１である１２の状態を検出して測距動作を行うかどうかの判断を行う。押されなければＳＷ１の待機状態になる。ＳＷ１が押されると、＃３０２で被写体の距離を測定する為にアクティブ測距を行うため２１を制御する。まず、ｉＲＥＤ３を投光回路４を使って被写体に向けて赤外光を投光する。投光された光の被写体からの反射光を受光センサーであるＰＳＤ１で受光し、受光回路２で距離を測定する。アクティブ方式で距離を求めた後ＳＷ２の状態を＃３０３で検出する。スイッチが押されていれば、本出願の特徴である早押し撮影に対応する為次に進む。しかし測距動作が途中の場合もあるので＃３２０のストロボ撮影モードに設定後、撮影準備動作に移る。これはストロボ撮影にすることで撮影深度を稼ぎ、オートフォーカスの精度ダウンをカバーするものである。スイッチが押されていなければ＃３０４でアクティブ測距での演算結果が出力的に問題なかったかどうかを判断する。ここでは出力が低い場合被写体からの反射光が低く信頼性が低いため再測距が必要だからである。問題なければ＃３０７に進み、撮影を行うスイッチＳＷ２が押されることを待つ。出力が低い場合、次に進み再測距をする。その前に＃３０５でＳＷ２が押されていないかどうかを判断する。これは本出願の特徴であり、早押しで撮影がしたい場合に対応する為再測距を止め、＃３２０のストロボ撮影モードに設定後＃３０８の撮影準備に移る。ＳＷ２が押されていなければ＃３０６でパッシブ測距を、左側の受光センサ５と右側の受光センサ６で測距を行う。最終的の被写体距離を演算で求められると、撮影スイッチＳＷ２の押されるのを＃３０７で待つ。ＳＷ２が押されると＃３０８で測距結果に基づいて、撮影レンズを鏡筒モータ制御装置７でモータ８を駆動しセットする。セット後＃３０９で撮影が行われる。
【００２２】
上記のように第３の実施例では、ハイブリッド測距の切換の度に撮影スイッチ１３の状態を判断し、早押しに対応した場合は撮影モードをストロボにすることで、オートフォーカスの精度低下をカバーして、撮影チャンスを逃さない撮影装置を提供している。
【００２３】
図６は、本発明の第４の実施例を示すフローチャートであり、以下にこのフローチャートに基づいて具体的に説明する。概略構成図は図３に示す。また図２の動作と同じ部分についてはステップ番号の第１０位以下の番号を同一としている。
【００２４】
まず＃４０１でＳＷ１である１２の状態を検出して測距動作を行うかどうかの判断を行う。押されなければＳＷ１の待機状態になる。ＳＷ１が押されると、＃４０２で被写体の距離を測定する為にアクティブ測距を行うため２１を制御する。まず、ｉＲＥＤ３を投光回路４を使って被写体に向けて赤外光を投光する。投光された光の被写体からの反射光を受光センサーであるＰＳＤ１で受光し、受光回路２で距離を測定する。アクティブ方式で距離を求めた後ＳＷ２の状態を＃４０３で検出する。スイッチが押されていれば、本出願の特徴である早押し撮影に対応する為次に進む。しかし測距動作が途中の場合もあるので＃４３０でシャッターの絞りを小絞りに設定後、撮影準備動作に移る。これはシャッターを小絞りにすることで撮影深度を稼ぎ、オートフォーカスの精度ダウンをカバーするものである。スイッチが押されていなければ＃４０４でアクティブ測距での演算結果が出力的に問題なかったかどうかを判断する。ここでは出力が低い場合被写体からの反射光が低く信頼性が低いため再測距が必要だからである。問題なければ＃４０７に進み、撮影を行うスイッチＳＷ２が押されることを待つ。出力が低い場合、次に進み再測距をする。その前に＃４０５でＳＷ２が押されていないかどうかを判断する。これは本出願の特徴であり、早押しで撮影がしたい場合に対応する為再測距を止め、＃４３０のシャッター絞り規制後＃４０８の撮影準備に移る。ＳＷ２が押されていなければ＃４０６でパッシブ測距を、左側の受光センサ５と右側の受光センサ６で測距を行う。最終的な被写体距離を演算で求められると、撮影スイッチＳＷ２の押されるのを＃４０７で待つ。ＳＷ２が押されると＃４０８で測距結果に基づいて、撮影レンズを鏡筒モータ制御装置７でモータ８を駆動しセットする。セット後＃４０９で撮影が行われる。
【００２５】
上記のように第４の実施例では、ハイブリッド測距の切換の度に撮影スイッチ１３の状態を判断し、早押しに対応した場合はシャッターを小絞りにすることで、オートフォーカスの精度低下をカバーして、撮影チャンスを逃さない撮影装置を提供している。
【００２６】
【発明の効果】
以上説明してきたように本出願の第一の発明によれば、ハイブリッド測距装置でありながら、測距途中でも撮影スイッチの状態を判断する手段を設けることで測距途中であっても撮影動作に移れるようすることで撮影チャンスを逃さないようにしている。
【００２７】
本出願にかかる第二の発明は、最初の測距動作で得られた距離データを有効に判断する手段を設けることで重み付けを変えることで、次の測距動作を行わなくても撮影が可能な状態にすることで、撮影チャンスを逃さないようにしている。
【００２８】
本出願にかかる第三、四の発明は、ハイブリッドＡＦでありながら一つの測距方式で距離測定動作を終えてしまうことによる撮影に対する影響を少なくするため、ストロボ撮影による撮影深度及びシャッターの絞り口径を小絞り側に規制することにより撮影深度を稼ぎ、撮影チャンスを逃さないようにしている。
【００２９】
以上のように、撮影ボタンに忠実に撮影を可能にすることで撮影チャンスを逃さない撮影装置を提供している。
【図面の簡単な説明】
【図１】本発明の概要を示すブロック図。
【図２】本発明の第１の実施例の動作を示すフローチャート。
【図３】本発明の第２の概要を示すブロック図。
【図４】本発明の第２の実施例の動作を示すフローチャート。
【図５】本発明の第３の実施例の動作を示すフローチャート。
【図６】本発明の第４の実施例の動作を示すフローチャート。
【符号の説明】
１　受光素子
２　受光回路
３　投光素子
４　投光回路
５　左受光センサ
６　右受光センサ
７　鏡筒モータ用制御装置
８　鏡筒モータ
９　給送制御装置
１０　制御用マイコン
１１　測光装置
１２　ＳＷ１
１３　ＳＷ２
１４　表示装置
１５　表示装置
１７　ストロボ装置
２０　パッシブ測距装置
２１　アクティブ測距装置
【図１】
2004012494.tif 000003
【図２】
2004012494.tif 000004
【図３】
2004012494.tif 000005
【図４】
2004012494.tif 000006
【図５】
2004012494.tif 000007
【図６】
2004012494.tif 000008